(57)【要約】【課題】操作性がよく、運搬が容易で、ｐＨ中和効率の向上した原水のｐＨ中和装置の提供。【解決手段】本考案の原水のｐＨ中和装置１は、枠体４と、アルカリ成分を含む原水を所定量貯水する原水槽２と、原水槽２より原水ポンプ１２を介して給水された原水と炭酸ガスと混合攪拌する噴流装置５等とからなっている。噴流装置５は、渦流を発生させキャビテーションをおこし、圧力調整、流量調整された炭酸ガスと原水とを混合攪拌し、原水のｐＨ中和処理を行う。ｐＨ中和処理された原水は、ｐＨ値の計測結果と第１ｐＨ設定値との比較演算結果に応じた流路方向切替装置１０の切り替えにより、放流するための第２流路１６、または原水槽への還流させる第１流路１５に流される。また、流路方向切替装置１０は三方弁であるとよい。【選択図】図１
0003147769.tif 000002
【実用新案登録請求の範囲】
【請求項１】
原水槽から給水されたアルカリ成分を含む原水に炭酸ガスを吹き込み中和するｐＨ中和装置であって、
前記ｐＨ中和装置の枠体と、
前記原水を所定量貯水する前記原水槽と、
前記枠体に設けられ、前記原水槽より原水ポンプを介して給水された前記原水と炭酸ガスとを混合攪拌するための噴流装置と、
この噴流装置に吹き込むための前記炭酸ガスを貯留する炭酸ガスボンベと、
この炭酸ガスボンベから前記噴流装置に供給される前記炭酸ガスの圧力を調整するための炭酸ガス圧力調整装置と、
前記炭酸ガスボンベから前記噴流装置に供給される前記炭酸ガスの流量を調整するための炭酸ガス流量調整装置と、
前記噴流装置の出口側の配管路に設けられｐＨ中和処理された前記原水のｐＨ値の計測を行うｐＨ値計測装置と、
前記ｐＨ値計測装置を通過した前記原水の配管路において、前記原水槽側への還流するための第１流路と、ｐＨ中和処理のなされた前記原水を放水側への放流するための第２流路とに切り替える流路方向切替装置と、
前記ｐＨ値の計測結果と第１ｐＨ設定値とを比較演算処理し、その比較演算結果に応じて、前記流路方向切替装置に切り替え動作指令を与える制御装置と
からなる原水のｐＨ中和装置。
【請求項２】
請求項１に記載された原水のｐＨ中和装置において、
前記流路方向切替装置は、前記制御装置の指令で流路を切り替える三方弁である
ことを特徴とする原水のｐＨ中和装置。
【請求項３】
請求項２に記載された原水のｐＨ中和装置において、
前記制御装置は、前記ｐＨ値の計測結果と第２ｐＨ設定値とを比較演算処理し、その比較演算結果に応じて、前記炭酸ガス圧力調整装置、及び／または、前記炭酸ガス流量調整装置に指令を与え制御するものである
ことを特徴とする原水のｐＨ中和装置。
【請求項４】
請求項３に記載された原水のｐＨ中和装置において、
前記制御装置は、ｐＨ値の設定機能、表示機能、及び、記録機能から選択される１種以上の機能を有しているものである
ことを特徴とする原水のｐＨ中和装置。
【請求項５】
請求項４に記載された原水のｐＨ中和装置において、
前記噴流装置は、渦流を発生させキャビテーションを起こし前記原水と前記炭酸ガスとを混合攪拌させる装置である
ことを特徴とする原水のｐＨ中和装置。
【請求項６】
請求項５に記載された原水のｐＨ中和装置において、
前記枠体は、上部に前記ｐＨ中和装置の移設を可能にする運搬用係止部材が設けられているものである
ことを特徴とする原水のｐＨ中和装置。
【請求項７】
請求項１から６のいずれか１項に記載された原水のｐＨ中和装置において、
前記原水は、セメントを含むアルカリ成分を有する土木建設排水である
ことを特徴とする原水のｐＨ中和装置。
【考案の詳細な説明】
【技術分野】
【０００１】
本考案は、土木建設工事のコンクリート廃材処理等で発生する原水のｐＨ中和処理を行う装置に関する。更に詳しくは、コンクリート廃材処理等で発生する原水に含まれるアルカリ成分を中和させるための原水のｐＨ中和装置に関する。
【背景技術】
【０００２】
従来からアルカリ性の原水を浄化し中和させ、このｐＨ中和させた原水を河川等へ放流させることは、工場原水処理等で広く行われ周知である。またアルカリ性の原水に炭酸ガスを使用しｐＨ中和させる技術も周知である。例えば、工場における工場原水中のアルカリ成分を中和させる技術として、炭酸ガスを原水中に吹き込みｐＨ中和させることは、従来から行われている。
【０００３】
この例として、貯水槽の原水をポンプで汲み上げて混合状態のときに炭酸ガスを吹き込み中和させた後、ｐＨ値を測定し規定値に達した原水は河川等に放流し、規定値に達しない原水にはさらに中和処理を施すようなことは知られている（例えば、特許文献１参照）。この特許文献１において、中和装置の主要部をなす混合装置は、前述のように高圧の炭酸ガスを同時に吹き込み混合させる構成になっている。
【０００４】
また、本出願人は、液体の液質の改質、汚染土壌の浄化等を行う装置として噴流装置を提案している（例えば、特許文献２、３参照）。
【特許文献１】特公平０７−０２９１０３号公報
【特許文献２】特開２００６−４３６５０号公報
【特許文献３】特許第３４９４５８７号公報
【考案の開示】
【考案が解決しようとする課題】
【０００５】
前述したように、炭酸ガスを利用してｐＨ中和させる装置は知られている。特に工場等においては、恒常的に設置された装置として全国各地で稼動している。しかしながら土木建設分野においては十分な機能を果たしている装置は少ない。ｐＨ中和装置そのものも使用実績はあるものの機能的にはまだ不十分であり、改良の余地が多く残されているものである。手動操作から自動操作への制御の利便性があっても、ｐＨ中和そのものの技術には尚進歩の余地があり、その機能の良し悪しはｐＨ中和させる技術の効率化を左右する。
【０００６】
また、土木建設関係は、一般の工場とは異なり、装置の設置場所が特定されていない。土木建設工事現場は流動性があり、どのような土地でもありうる。このため付随する装置で継続して使用されるものは、移設可能な装置でなければならない。例えば、建築物の解体処理やリサイクルのためのコンクリート廃材の破砕化等の処理のための装置である。このときには水を使用することになり、処理された水はセメント等アルカリ成分を多く含む原水となる。
【０００７】
さらに他分野で有効な技術が原水のｐＨ中和分野に適用され有効であれば、ｐＨ中和技術に大きな効果をもたらすことになる。また、従来から実績のある装置に新しい機能を付加することも、既存の安定した装置を生かした機能向上になり大きな効果が期待できる。
本考案は、以上のような技術背景を考慮し、機能向上を図り総合的に効果を生む装置としてコンパクトに構築したものである。
【０００８】
本考案の目的は、操作性をよくし、運搬が容易で、ｐＨ中和効率の向上に加え、メンテナンスがよく、簡易構成でコスト低減の図られた装置を提供することにある。
【課題を解決するための手段】
【０００９】
本考案は、前記目的を達成するために次の手段をとる。
本考案１の原水のｐＨ中和装置は、原水槽から給水されたアルカリ成分を含む原水に炭酸ガスを吹き込み中和するｐＨ中和装置であって、前記ｐＨ中和装置の枠体と、前記原水を所定量貯水する前記原水槽と、前記枠体に設けられ、前記原水槽より原水ポンプを介して給水された前記原水と炭酸ガスとを混合攪拌するための噴流装置と、この噴流装置に吹き込むための前記炭酸ガスを貯留する炭酸ガスボンベと、この炭酸ガスボンベから前記噴流装置に供給される前記炭酸ガスの圧力を調整するための炭酸ガス圧力調整装置と、前記炭酸ガスボンベから前記噴流装置に供給される前記炭酸ガスの流量を調整するための炭酸ガス流量調整装置と、前記噴流装置の出口側の配管路に設けられｐＨ中和処理された前記原水のｐＨ値の計測を行うｐＨ値計測装置と、前記ｐＨ値計測装置を通過した前記原水の配管路において、前記原水槽側への還流するための第１流路と、ｐＨ中和処理のなされた前記原水を放水側への放流するための第２流路とに切り替える流路方向切替装置と、前記ｐＨ値の計測結果と第１ｐＨ設定値とを比較演算処理し、その比較演算結果に応じて、前記流路方向切替装置に切り替え動作指令を与える制御装置とからなっている。
【００１０】
本考案２の原水のｐＨ中和装置は、本考案１において、前記流路方向切替装置は、前記制御装置の指令で流路を切り替える三方弁であることを特徴とする。
【００１１】
本考案３の原水のｐＨ中和装置は、本考案２において、前記制御装置は、前記ｐＨ値の計測結果と第２ｐＨ設定値とを比較演算処理し、その比較演算結果に応じて、前記炭酸ガス圧力調整装置、及び／または、前記炭酸ガス流量調整装置に指令を与え制御するものであることを特徴とする。
【００１２】
本考案４の原水のｐＨ中和装置は、本考案３において、前記制御装置は、ｐＨ値の設定機能、表示機能、及び、記録機能から選択される１種以上の機能を有しているものである。
【００１３】
本考案５の原水のｐＨ中和装置は、本考案４において、前記噴流装置は、渦流を発生させキャビテーションを起こし原水を混合攪拌させる装置であることを特徴とする。この装置は殺菌効果も有している装置である。
【００１４】
本考案６の原水のｐＨ中和装置は、本考案５において、前記枠体は、上部に前記ｐＨ中和装置の移設を可能にする運搬用係止部材が設けられているものであることを特徴とする。この運搬用係止部材は、例えばアイボルト等の部材でワイヤの引っ掛けが可能な部材である。
【００１５】
本考案７の原水のｐＨ中和装置は、本考案１から６において、前記原水は、セメントを含むアルカリ成分を有する土木建設排水であることを特徴とする。
【考案の効果】
【００１６】
以上説明したように、本考案の原水のｐＨ中和装置は、原水中のアルカリ成分を効率的に中和処理できるようになった。すなわち、ｐＨ中和処理のなされた原水のｐＨ値を自動的に計測し、排水設定値に達している場合（排水設定値以下の場合）は第２流路（排水流路）側に、排出設定値に達していない場合には第１流路（還流流路）側に切り替えて流すことができるようになっている。この原水を流すための流路方向切替装置は、制御装置で制御可能な三方弁になっている。さらに、排出設定値より小さい値、または、排水設定値と同一の値である目標設定値を設定し、この目標設定値の範囲内にｐＨ値が入るように、炭酸ガスの圧力、流量を自動調整する制御を行っている。このことにより、確実なｐＨ中和処理、信頼性の高いｐＨ中和処理を行えるようになった。
【００１７】
また、この原水のｐＨ中和装置は、渦流のキャビテーションを利用した噴流装置を適用したことで、原水と炭酸ガスとの混合攪拌での効率をよくしｐＨ中和処理効果の向上を図れるようになった。
さらに、この原水のｐＨ中和装置は、土木建設の特有の作業環境に適合する構成とすることができた。すなわち、メンテナンス、移設等が容易で、簡素で、コンパクトな構成とすることができた。また、簡素な構成とすることで、信頼性向上、コスト低減を図ることもできた。
【考案を実施するための最良の形態】
【００１８】
以下、本考案に関する原水のｐＨ中和装置の実施の形態について図面を参照して説明する。
図１は、本考案の原水のｐＨ中和装置の概要を示したブロック図である。図中の点線は、信号線の接続を示している。図２、３は、原水のｐＨ中和装置の構成の概要を示す外観図であって、図２は平面図を、図３は正面図を示している。図４は、噴流ボックスのガスノズル近傍を拡大して示した部分正面図である。
【００１９】
図に示すように、本考案の原水のｐＨ中和装置１は、原水を貯水する原水槽２に対し、原水ポンプ１２、流入配管３を接続し、原水をｐＨ中和処理した後、排水基準の規制値以下になった排水として河川等に放流させるための装置である。本考案の対象とする原水は、主に土木建設関係の工事現場等で発生するアルカリ成分を含む原水である。土木建設関係の解体処理等においては、コンクリート廃材が多く発生する。このコンクリート廃材は、セメント部材で構成されたものを多く含み、アルカリ成分を多く含むものである。
【００２０】
また、岩石やコンクリートを破砕する作業は、粉塵や騒音等の悪影響を住民に及ぼさないように人家より離れた場所で行うことが多い。さらに、粉塵等の飛散等を防止するため多くの水を使用するため原水が発生する。屋外に放置して処理することが多いので雨等の自然水に晒されることも多く、必然的に原水が生じる。さらにこの原水の生じる環境は、工場等のような特定された場所ではない。従って、設置場所は一定しておらず流動的である。このように、一般にコンクリート破砕あるいはセメント処理には水を使用することが多いため、このようなアルカリ成分を含む原水が発生する。
【００２１】
この原水はアルカリ成分を多く含むことから、何も処理せず河川等へ放流することは禁じられている。これは自然環境保全の観点から有害物質の垂れ流しになるからである。従って、このことを防止するため、処理すべき原水に対して規制値が設けられている。この規制値の一つにｐＨ（水素イオン濃度）値と称されているものがある。ｐＨ値は０〜１４で表され、ｐＨ７がいわゆる中性である。そして、ｐＨ７以上をアルカリ性と呼び、値が大きければ大きいほどアルカリ性の性質が強いことを示している。通常、土木建設関係の原水は、多くのアルカリ成分を含むので、放流に必要なｐＨ値は、ｐＨ中和処理によって、排出基準の規制値（例えば、ｐＨ５．８〜８．６）の範囲内にすることが義務付けられている。
【００２２】
工事現場等で発生する原水は原水槽２に所定量一時的に貯水される。この原水は前述のとおりアルカリ成分を多く含む原水である。この実施の形態のｐＨ中和装置１はこの原水槽２と流入配管３を介して接続されている。この原水の流量は、流量計１９に表示される。ｐＨ中和装置１にはボックス状の枠体４が形成されている。この枠体４にｐＨ中和処理の主要部をなす噴流ボックス（噴流装置）５と、炭酸ガスボンベ６、炭酸ガス圧力調整装置７、炭酸ガス流量調整装置８、ガスノズル２１等からなる炭酸ガス供給手段と、ｐＨ検出センサ部９、ｐＨ計測制御部１４からなるｐＨ値計測装置と、ｐＨ中和処理された原水の流路方向を切り替えるための流路方向切替装置としての三方弁１０と、原水のｐＨ中和処理のための各装置の制御を行うための制御装置１１とから構成されている。この三方弁１０は、制御装置１１の指令により、ｐＨ中和処理された原水の流路方向を、後述する第１流路（還流流路）１５と第２流路（排水流路）１６とに切り替えることができるものである。
【００２３】
炭酸ガス圧力調整装置７は、炭酸ガス吐出圧の設定を行うためのものであり、例えば、ｐＨ１１．６未満の原水をｐＨ中和処理する場合には吐出圧を０．２５ＭＰａとしている。また、ｐＨ１１．６以上の原水をｐＨ中和処理する場合、吐出圧を０．２５ＭＰａ以上に上げるとよい。圧力表示は、圧力調整器７ｃの炭酸ガスボンベ６側の１次側圧力計７ａ、噴流ボックス５側の２次側圧力計７ｂによって表示される。また、炭酸ガスボンベ６は、炭酸ガスボンベ６内の炭酸ガスを使い切った場合に交換の必要があるので、枠体４に容易に着脱できるように、枠体４の外面側に締結バンド６ａ等で締結、固定されている。
【００２４】
原水槽２には、アルカリ成分を含む原水を汲み上げてｐＨ中和装置１へ給水するための原水ポンプ１２が設置されている。ｐＨ中和装置１へ給水された原水は、噴流ボックス（噴流装置）５に導かれる。噴流ボックス５へ流入中のｐＨ中和処理が完了していない原水の流量は、流量計１９に表示される。図４に示すように、この噴流ボックス５には、ガスノズル２１が接続されている。ガスノズル２１には、炭酸ガスボンベ６からの配管が接続されている。また、炭酸ガスボンベ６とガスノズル２１との間には、炭酸ガスの逆流を防止するための逆止弁２２が設けられている。炭酸ガスは炭酸ガス圧力調整装置７のガス圧力調整器７ｃを調整することにより所定の圧力に調整され供給されている。ガス圧力調整器７ｃは、自動運転時には、制御装置１１の制御指令により調整され、手動運転時には、作業者が手動で調整することができるものである。
【００２５】
また、炭酸ガス流量調整装置８は、手動ガス流量調整器８ａ、ガス流量計８ｂ、自動ガス流量調整器８ｃ等から構成されている。この実施の形態では、手動ガス流量調整器８ａ、ガス流量計８ｂは、ガス流量計付ガス流量調整バルブとなっている。炭酸ガスは、手動ガス流量調整器８ａ、自動ガス流量調整器８ｃを調整することにより所定の流量に調整され供給されている。この炭酸ガスの流量は、ガス流量計８ｂに表示される。例えば、手動運転時には、自動ガス流量調整器８ｃを開（オープン）状態にして、作業者が手動ガス流量調整器８ａを操作して流量調整を行う。また、自動運転時には、手動ガス流量調整器８ａを開（オープン）状態にして自動ガス流量調整器８ｃで調整を行う。自動ガス流量調整器８ｃは、制御装置１１の制御指令により流量調整される。
すなわち、噴流ボックス５には、所定の圧力、所定の流量に調整された炭酸ガスが供給されることになっている。
【００２６】
従って、原水が噴流ボックス５に給水されたとき同時に炭酸ガスも吐出供給され、両者は接触混合し噴流状態となる。すなわち、噴流ボックス５内で発生する渦により、炭酸ガスとアルカリ成分を含む原水とを強力に攪拌混合することで、効率よく炭酸ガスを原水中に溶かし、ｐＨ中和反応を促進する。この実施の形態では、次の反応式によりｐＨ中和が行われる。
Ｃａ（ＯＨ）２＋ＣＯ２  →  ＣａＣＯ３＋Ｈ２Ｏ  （式）
【００２７】
この噴流ボックス５は、扁平状の噴流発生箱となっていて、給水された原水は噴流として噴流ボックス５内に噴射される。このとき炭酸ガスも同時に吐出供給、すなわち吹き込まれるので、原水と炭酸ガスは、混合体として噴流状態になり攪拌混合される。この過程で原水中のアルカリ成分は、炭酸ガスにより効率よく中和されることになる。この噴流ボックス５の噴流発生メカニズムは、本出願人らが開発し公開した技術である。
【００２８】
この噴流発生に伴う技術は、噴流発生装置により渦流を発生させてキャビテーションを起こし、この渦流により汚染土壌、汚染水等を流入混合、攪拌させ、噴流の微細な空気粒子により汚染水等を浄化させる技術として、例えば特許文献２、３に記載されているので詳細説明は省略する。この噴流ボックス５を設けたことで原水の殺菌を行う効果もあるので、原水の浄化を一層効果的にするものとなっている。
【００２９】
本考案の理解を容易にするため、その概要を説明すると、噴流ボックス５は、箱の形状によりその機能が決定される構成になっている。例えば、特許文献２、３に示す液質改質装置は、内部に扁平空間Ｖを形成する噴流発生箱と扁平空間に液体を導入するノズルとから形成されており、扁平空間Ｖの有効幅をＷで、扁平空間の有効高さをＨで、ノズルの開口の有効直径をＤで表すと、渦流発生条件は、Ｄ＜Ｈ、且つ、２＜Ｗ／Ｈ＜４で表現される構成にしている。このように浄化対象に合わせ特定形状にすることにより、浄化効率を高める装置とすることができる。
【００３０】
一方、この実施の形態においては、炭酸ガスとアルカリ成分を含む原水とが混合されることで、炭酸ガスは噴流過程で原水に速やかに溶解することになる。これにより原水のｐＨ値を引き下げるのである。炭酸ガスは炭酸ガスボンベ６より供給される過程でガス圧力調整器７ｃで圧力調整、手動ガス流量調整器８ａまたは自動ガス流量調整器８ｃで流量調整され、ガスノズル２１を介して噴流ボックス５へ導かれる。
【００３１】
炭酸ガスの圧力調整、流量調整のためのガス圧力調整器７ｃ、手動ガス流量調整器８ａ等は、枠体４の正面に設けられる制御装置１１の操作部１１ａに隣接して設けられた炭酸ガス調整部に設けられている（図３参照）。
【００３２】
このようにしてｐＨ中和処理された原水は、噴流ボックス５の出口側から管路を経由してｐＨ値計測装置に導かれる。このｐＨ値計測装置にはｐＨ検出センサ部９が設けられていて、ｐＨ値をｐＨ電極で検出しｐＨ計測制御部１４に検出信号として送られる。ｐＨ計測制御部１４では、ｐＨ検出センサ部９の検出結果を、ｐＨ値として表示部に表示する。ｐＨ計測制御部１４には、ｐＨ値を記録をするための機能も備えている。すなわち、排出規制対象のｐＨ値を表示、記録ができるようになっている。ｐＨ計測制御部１４のｐＨ値データは、ｐＨ計測制御部１４から制御部１１に出力される。ｐＨ値計測装置で計測されたｐＨ値（計測ｐＨ値）は、制御装置１１により、目標設定値または排水設定値との比較がなされる。
【００３３】
例えば、計測ｐＨ値が排水設定値より高い場合は、原水はまだｐＨ中和処理が不十分なので、この配管路にある三方弁１０を切り替えることによりｐＨ中和処理が不十分な原水を原水槽２へ第１流路（還流流路）１５を介して還流させる。すなわち、ｐＨ中和処理が不十分な原水は、原水槽２に戻り、ｐＨ計測値が、排水設定値以下になってｐＨ中和処理が完了するまで、原水槽２とｐＨ中和装置１の噴流ボックス５との間を循環しながらｐＨ中和処理を行う。
【００３４】
また、計測ｐＨ値が排水設定値より低い場合は、原水のｐＨ中和処理が十分完了したことを意味するので、三方弁１０の切り替えにより処理済みの原水を河川等へ第２流路（排水流路）１６を介して放流させる。通常、制御装置１１においては、ｐＨの目標設定値、排水設定値を、排出基準の規制値よりも小さめにして設定している。例えば、排水設定値を「８．５」、目標設定値を「８．０」のように設定し、確実にｐＨ中和処理させる。
【００３５】
この排水設定値（第１ｐＨ設定値）は、三方弁１０の切り替えを行うか否かの判断に使用するためのものである。また、目標設定値（第２ｐＨ設定値）はｐＨ中和処理の目標値であり、この目標設定値と計測ｐＨ値の差に基づいて、炭酸ガスの圧力または流量、あるいは、炭酸ガスの圧力及び流量の調整を行うことに利用する。
この設定値は、作業者が変更設定することが可能である。この形態では、排水設定値は、ｐＨ計測制御部１４の操作盤１４ａの操作ボタン等を使用して変更設定することができる。排水設定値は、ｐＨ計測制御部１４に記憶される。また、目標設定値は、制御装置１１の内部にある操作盤１１ｂの操作ボタン等を使用して変更設定することができる。目標設定値は、制御装置１１に記憶される。
【００３６】
なお、目標設定値は、排水設定値より小さい値に設定するとよい。例えば、目標設定値は、排水設定値より「０．５」位小さい値であることが好ましいが、同じ数値であってもよい。同じ数値にする場合には、共通の設定値として一つ設定するだけであってもよい。
【００３７】
さらに、ｐＨ中和装置１は、原水槽２の液面の高さをチェックできる機能も有している。原水槽２に液面の高さをチェックできる液面検出器１３として、この実施の形態ではフロートスイッチを使用している。フロートスイッチは原水槽２の渇水状態の有無の検知を行い、水位が所定の高さより低い場合には、ｐＨ中和処理を中止させる。この液面検出器１３の位置信号を制御装置１１で受け、制御装置１１は、例えば原水槽２に原水が所定量なければ、自動的にｐＨ中和装置１の稼動を中止させる等の処理を行う。
【００３８】
第２流路１６には、サイホン現象を避けるためのバルブを設けることが好ましい。さらに、このｐＨ中和装置１の枠体４上部には、運搬用係止部材としてフック、アイボルト１７等が４隅に設けられている。これはこのｐＨ中和装置１を持ち上げ移動させるのに必要とするものである。このｐＨ中和装置１は前述のとおりｐＨ中和処理に関する全ての装置を含む装置であり、コンパクトな構成になっている。
【００３９】
従って、操作がしやすく、運搬が容易である。さらに、例えば炭酸ガスボンベの交換性をよくしている等メンテナンス性もよい構成となっている。移設の際は、例えばトラック運搬の場合でいうと、ｐＨ中和装置１のアイボルト１７に引っ掛けたワイヤを介して、ｐＨ中和装置１をトラックのクレーンで吊り上げることで、任意の位置に移動して設置することが可能である。また、運搬用係止部材をアイボルト１７として説明したが、枠体４の側壁に鉤状のフックを溶接したような部材であってもよく、ワイヤを通すことが可能な吊り上げ用穴であってもよい。さらに、装置の容量の変わる仕様変更があっても、同様構成でまとめることができるのでコスト的にも大きく異なることなく低コストで製造できる。
【００４０】
図５に基づいて、原水のｐＨ中和装置の作用の説明を行う。
図５は、ｐＨ中和装置１が自動運転しているときの処理内容を示しているフローチャートである。
自動運転がスタートすると、ｐＨ中和装置１に異常が発生していないか否かを、制御装置１１は判断する（ステップＳ１）。例えば、原水ポンプ１２が過負荷になっていないか、予熱用のヒーター（図示せず）が過負荷になっていないか、原水槽２の水位が異常でないか、炭酸ガス圧が異常でないかなどがチェックされる。異常が発生していない場合、ステップＳ２に移行する。異常が発生している場合には、ステップＳ１４に移行して異常処理を行う。
【００４１】
ステップＳ２において、制御装置１１の操作盤１１ａの操作モード選択スイッチが自動運転モードになっているか否かを判断する。自動運転モードが選択されていない場合には、この自動運転の処理を停止し、ステップＳ１２に移行して手動運転の処理、または、ステップＳ１３に移行してシステム停止の処理を行う。ステップＳ２において、自動運転モードが選択されている場合には、ステップＳ３に移行して予熱用のヒーター（図示せず）を起動する。
【００４２】
次に、三方弁１０が第１流路（還流流路）１５側になっているか否かを判断する（ステップＳ４）。第１流路（還流流路）１５側になっていない場合には、ステップＳ５に移行し、制御装置１１は三方弁１０に指令を与え、三方弁１０を第１流路（還流流路）１５側に切り替える。切り替えた後ステップＳ６に移行する。
ステップＳ４において、第１流路（還流流路）１５側になっている場合には、ステップＳ６に移行する。ステップＳ６において、ヒーターによる予熱時間が設定時間（例えば、３５秒）に達したか否かを判断する。予熱時間が設定時間に達していない場合にはステップＳ１に移行し、達している場合にはステップＳ７に移行する。
【００４３】
ステップＳ７では、原水ポンプ１２を起動するとともに、炭酸ガスを炭酸ガスボンベ６から噴流ボックス５に吐出供給し、ステップＳ８に移行する。ステップＳ８において、目標設定値に向けての補正を開始する。この実施の形態では、目標設定値が、目標の範囲（例えば、ｐＨ８．０±０．１）として設定されている。
【００４４】
次に、ステップＳ９において、ｐＨ値計測装置（ｐＨ検出センサ部９、ｐＨ計測制御部１４）で、ｐＨ中和処理している原水のｐＨ値を計測し、制御部１１は計測ｐＨ値が排水設定値（例えば、ｐＨ８．５）以下か、排水設定値以上であるかを判断する。計測ｐＨ値が排水設定値以上の場合には、ステップＳ１に戻るように移行する。すなわち、ｐＨ中和処理が不十分な原水を原水槽２に還流させることで、原水を、原水槽２と噴流ボックス５の間で循環させながらｐＨ中和を行う処理を続行する。
ステップＳ９において、計測ｐＨ値が排水設定値以下の場合、ステップＳ１０に移行し、制御装置１１は三方弁１０に指令を与え、三方弁１０を第２流路（排水流路）１６側に切り替え、ｐＨ中和処理が完了した原水（排水）として放水路等に放流する。
【００４５】
ステップＳ１１では、計測ｐＨ値が、目標設定値の範囲（例えば、ｐＨ８．０±０．１）内かどうかを判断し、目標設定値の範囲内の場合、ステップＳ１に戻り、ｐＨ中和処理を続行する。ステップＳ１１において、目標設定値の範囲外の場合、ステップＳ８に戻り、炭酸ガスの流量調整または圧力調整、あるいは、炭酸ガスの流量調整及び圧力調整を行って、目標設定値の範囲（例えば、ｐＨ８．０±０．１）内に入るように制御を行う。この制御は、制御装置１１が、目標設定値の範囲内に入るように、ガス圧力調整器７ｃ、自動ガス流量調整器８ｃに指令して、ガス圧力調整器７ｃ、自動ガス流量調整器８ｃを調整することで行なわれる。このようにすることで、計測ｐＨ値が目標設定値の範囲内に入るように制御される。
【００４６】
以上説明したように、本考案における原水のｐＨ中和装置は、操作性がよく、運搬が容易で、さらにｐＨ中和効率の向上に加え、メンテナンス性もよく、コストが低減された装置となった。
以上、本考案の実施の形態を種々説明したが、本考案はこの実施の形態に限定されることはない。本考案の目的、趣旨を逸脱しない範囲内での変更が可能なことはいうまでもない。例えば、排水設定値は、制御装置側で設定、記憶してもよい。また、目標設定値は、ｐＨ計測制御部側で設定、記憶してもよい。
【図面の簡単な説明】
【００４７】
【図１】図１は、原水のｐＨ中和装置の概要を示すブロック図である。
【図２】図２は、原水のｐＨ中和装置の平面図である。
【図３】図３は、原水のｐＨ中和装置の正面図である。
【図４】図４は、噴流ボックスのガスノズル近傍を拡大して示した部分正面図である。
【図５】図５は、原水のｐＨ中和装置の処理内容を示したフローチャートである。
【符号の説明】
【００４８】
１…ｐＨ中和装置
２…原水槽
４…枠体
５…噴流ボックス（噴流装置）
６…炭酸ガスボンベ
７…炭酸ガス圧力調整装置
８…炭酸ガス流量調整装置
９…ｐＨ検出センサ部
１０…三方弁（流路方向切替装置）
１１…制御装置
１４…ｐＨ計測制御部
１５…第１流路（還流流路）
１６…第２流路（排水流路）
【図１】
0003147769.tif 000003
【図２】
0003147769.tif 000004
【図３】
0003147769.tif 000005
【図４】
0003147769.tif 000006
【図５】
0003147769.tif 000007